(57)【要約】  尿及び糞便物質などの身体流体及び排出物を吸収するための吸収性物品である。より特定的には、使い棄てオムツ及び大人用失禁用衣類などの吸収性物品で、改善された嵌合及び性能のために、腰部に横方向に配置される締結用組立体を含む。物品の耳部は、締結用組立体に取り付けることができる。耳部及び／又は締結用組立体は、横方向に対して、変化する基準上の剥離及び基準上の剪断特性を形成する。【選択図】図１
2008544807.tif 000002
【特許請求の範囲】
【請求項１】
前腰部領域及び後腰部領域と、
前記前腰部領域と前記後腰部領域との間に延び、これらを結合する股部領域と、
身体側表面及び前記身体側表面と反対側の衣類側表面と、
前記衣類の前記腰部領域の一方において前記衣類側表面上に、横方向関係で配置された少なくとも２つの取り付け領域を含むフック締結用組立体と、
を含み、
前記少なくとも２つの取り付け領域は、著しく異なる基準剥離強度又は剪断強度で、前記身体側表面と係合することを特徴とする使い棄て衣類。
【請求項２】
前腰部領域、後腰部領域、及び前記前腰部領域と前記後腰部領域との間に延び、これらを結合する股部領域を有する使い棄て衣類であって、
身体側表面と、
衣類側表面と、
前記前腰部領域の前記衣類側表面上に、並列する関係で横方向に配置される２つの側部取り付け領域と、
締結用組立体と、
を備え、前記締結用組立体は、
前記２つの側部取り付け領域の間において前記衣類側表面上に位置する中間取り付け領域を含み、
前記中間取り付け領域は、少なくとも１つの第一締結具材料を含み、前記側部取り付け領域は、少なくとも１つの第二締結具材料を含み、
前記側部取り付け領域は、前記中間取り付け領域とは著しく異なる基準剥離強度又は剪断強度で、前記身体側表面と係合することを特徴とする衣類。
【請求項３】
前記中間取り付け領域と前記身体側表面との間の前記剥離力は、前記側部取り付け領域と前記身体側表面との間の前記剥離力より小さいことを特徴とする請求項２に記載の使い棄て衣類。
【請求項４】
前記身体側表面の少なくとも一部は、前記締結用組立体に取り付ける時、前記剥離強度又は剪断強度が変化するように修正されることを特徴とする請求項３に記載の使い棄て衣類。
【請求項５】
前記少なくとも１つの第一締結具材料と前記少なくとも１つの第二材料は、前記身体側表面と係合する複数の突出部材を含むことを特徴とする請求項２に記載の使い棄て衣類。
【請求項６】
前記少なくとも１つの第一材料は、マッシュルーム型締結具、網目状発泡体締結具、又はフック締結具を含むことを特徴とする請求項２に記載の使い棄て衣類。
【請求項７】
前記少なくとも１つの第ニ材料は、マッシュルーム型締結具、網目状発泡体締結具、又はフック締結具を含むことを特徴とする請求項２に記載の使い棄て衣類。
【請求項８】
前記少なくとも１つの第一締結具材料と前記少なくとも１つの第二材料は、同等であることを特徴とする請求項２に記載の使い棄て衣類。
【請求項９】
前記側部取り付け領域各々は、前記衣類の縦方向軸に向かって横方向に減少する第一縦方向長さと、前記衣類の前記縦方向軸で計測された長さである第二縦方向長さとを有し、前記第一縦方向長さの平均は、前記第二縦方向長さより大きいことを特徴とする請求項２に記載の使い棄て衣類。
【請求項１０】
外カバーと、
身体側ライナーと、
前記身体側ライナーと前記外カバーとの間に位置する吸収性芯と、
を更に含むことを特徴とする請求項２に記載の使い棄て衣類。
【請求項１１】
前腰部領域、後腰部領域、及び前記前腰部領域と前記後腰部領域の間に延び、これらを結合する又部領域を有する使い棄て衣類であって、
身体側材料と、
前記身体側材料に取り付けられる衣類側材料と、
締結用組立体と、
を含み、前記締結用組立体は、
前記前腰部領域の前記衣類側表面上に並列する関係で横方向に配置された複数の締結具部品を含む２つの側部取り付け領域と、
前記２つの側部取り付け領域の間に位置する中間取り付け領域と、
から成り、
前記中間取り付け領域は、少なくとも１つの第一締結具材料を含み、前記側部取り付け領域は、少なくとも１つの第二締結具材料を含み、
前記後腰部領域から延びるように１対の後耳部が設けられ、
前記１対の後耳部各々が、少なくとも前記側部取り付け領域の１つの一部及び少なくとも前記中間取り付け領域の一部と係合するように強度又は剪断強度で前記１対の後耳部各々と係合することを特徴とする衣類。
【請求項１２】
前記少なくとも１つの第一締結具材料は、マッシュルーム型締結具、網目状締結具、又はフック締結具から成ることを特徴とする請求項１１に記載の使い棄て衣類。
【請求項１３】
前記少なくとも１つの第ニ締結具材料は、マッシュルーム型締結具、網目状締結具、又はフック締結具から成ることを特徴とする請求項１２に記載の使い棄て衣類。
【請求項１４】
前記少なくとも１つの第一締結具材料は、前記締結具材料の前記剪断強度を減少するために、機械的に処理されることを特徴とする請求項１３に記載の使い棄て衣類。
【請求項１５】
前記第一締結具材料又は前記第二締結具材料の前記突出部材は、接着剤で処理されることを特徴とする請求項１４に記載の使い棄て衣類。
【請求項１６】
前記第一締結具材料又は前記第二締結具材料の前記突出部材は、フックであることを特徴とする請求項１５に記載の使い棄て衣類。
【請求項１７】
前記１対の後耳部は修正された身体側表面を有し、前記少なくとも１つの第一材料及び前記少なくとも１つの第二締結具材料は、同等の表面特性を有することを特徴とする請求項１１に記載の使い棄て衣類。
【請求項１８】
前記１対の後耳部は均一な身体側表面を有し、前記少なくとも１つの第一締結具材料は前記少なくとも１つの第二締結具材料と異なることを特徴とする請求項１１に記載の使い棄て衣類。
【請求項１９】
前記身体側材料と前記外カバーの間に位置する吸収性芯を更に含むことを特徴とする請求項１１に記載の使い棄て衣類。
【請求項２０】
前記１対の後耳部の前記身体側材料と身体側表面は、ライナー材料から成ることを特徴とする請求項１１に記載の使い棄て衣類。
【発明の詳細な説明】
【技術分野】
【０００１】
本発明は、身体排出物を収容する使い棄て吸収性物品に関する。より特定的には、本発明は、物品の前腰部領域に配置される締結具を有する使い棄て吸収性物品に関する。
【０００２】
使い棄て吸収性衣類を含む使い使い棄て衣類は、何十年にもわたって知られてきた。使い棄て衣類は、子供及び大人用の下着のように着用される衣類、幼児用の訓練用パンツのように着用される衣類、及び、乳児用のオムツのように着用される衣類を含むことができる。身体流体を吸収して収容するように設計された使い棄て吸収性衣類は、大人／子供用失禁用衣類、幼児用の訓練用パンツ、及び乳児用のオムツを含むことができる。
【０００３】
使い棄て衣類は、着用者の身体にしっかりと適合して、心地よさ及び自由であることが望ましい。使い棄て衣類は、使用中に、衣類の位置を固定することを介助する締結具を含むことができる。例えば、使い棄て衣類は、接着剤締結具又は機械締結具を含み、着用者の腰部に衣類を固定するように介助することができる。使用中に、締結具は多くの応力を受ける。転がったり、座ったり、這い回ったり、歩いたりすることにより使用者が動くと、衣類は、着用者の脚部と身体上部との間の角度が増加したり減少したりすることにより、主に前腰部領域において変形する。この動き及び変形は、使用者をいらいらさせ、締結用システムを破損させるものとなる。
【０００４】
使い棄て衣類は、比較的付与しやすいことが望ましい。典型的には、使い棄て衣類は、衣類の後部分に、外向きに延びるタブを有する。タブは、通常は、衣類上の別の場所に位置する対応する締結具と整列して、締結する前には、折り畳まれていないことが必要である。使用者によっては、衣類を締結するために多数の段階が必要ならば、使い棄て衣類の最適な嵌合を得ることは困難になる。これらの段階の一つは、衣類を締結する前に、タブを折り畳まないようにすることである。
【０００５】
使い棄て衣類の形成に有益である材料及び構造において著しい、多くの進歩が達成されたが、着用されている間に、着用者に最適な嵌合を付与し、楽しい外見を維持するような衣類の必要性がまだ残っている。更に、着用者の腰部に一層容易に固定することができる、使い棄て吸収性物品の必要性が残っている。
【０００６】
【特許文献１】米国特許第６，５５２，２４５号公報
【特許文献２】米国特許第６，７０２，８００号公報
【特許文献３】米国特許第５，６９５，８６８号公報
【特許文献４】米国特許第５，８４３，０５６号公報
【特許文献５】米国特許第４，６６３，２２０号公報
【特許文献６】米国特許第５，２２６，９９２号公報
【特許文献７】欧州特許出願番号ＥＰ０２１７０３２
【特許文献８】米国特許第６，１４９，９３４号公報
【特許文献９】米国特許出願一連番号１０／７５０，２５３
【特許文献１０】米国特許出願一連番号１０／８７９，３２３
【発明の開示】
【発明が解決しようとする課題】
【０００７】
本発明は、物品の前腰部領域上に置かれ、吸収性物品の耳部と結合することができる機械締結具を有する吸収性物品を提供することに向けられる。変化する剥離強度及び／又は剪断強度が、耳部と締結具組立体との間に生じる。
【０００８】
本発明の一態様は、前腰部領域、後腰部領域、及び前腰部領域と後腰部領域との間に延び、これらを結合する股部領域を有する使い棄て衣類に関する。衣類は、身体側表面、衣類側表面、及び締結用組立体を含む。締結用組立体は、衣類の前腰部領域の衣類側表面上に位置する、少なくとも２つの取り付け領域を有する。この少なくとも２つの取り付け領域は、著しく異なる基準剥離強度又は剪断強度で、後腰部領域において身体側表面に係合する。
【０００９】
別の態様においては、本発明は、前腰部領域、後腰部領域、及び前腰部領域と後腰部領域との間に延び、これらを結合する股部領域を有する使い棄て衣類に関する。衣類は、身体側表面、衣類側表面、及び締結用組立体を含む。締結用組立体は、前腰部領域の衣類側表面上に互いに離れて位置する２つの側部取り付け領域、及び２つの側部取り付け領域の間において衣類側表面上に位置する中間取り付け領域を含む。中間取り付け領域は、少なくとも１つの第一締結材料を含み、側部取り付け領域は、少なくとも１つの第二締結材料を含む。側部取り付け領域は、中間取り付け領域とは著しく異なる基準剥離強度又は剪断強度で、身体側表面と係合する。
【００１０】
別の態様においては、本発明は、前腰部領域、後腰部領域、及び前腰部領域と後腰部領域との間に延び、これらを結合する股部領域を有する使い棄て衣類に関する。衣類は、身体側表面、衣類側表面、及び締結用組立体を含む。締結用組立体は、複数の締結用部品を有する２つの側部取り付け領域を含む。２つの側部取り付け領域は、前腰部領域の衣類側表面に互いに離れて位置する。締結用組立体は更に、２つの側部取り付け領域の間に位置する中間取り付け領域を含み、中間取り付け領域は、少なくとも１つの第一締結用材料を含み、側部取り付け領域は、少なくとも１つの第二締結用材料を含む。１対の後耳部が、後腰部領域から延び、少なくとも側部取り付け領域の一部で、更に少なくとも中間取り付け領域の一部で、互いに係合するように形成される。側部取り付け領域は、中間取り付け領域とは著しく異なる剥離強度又は剪断強度で、１対の後耳部の各々と係合する。
【００１１】
したがって、本発明は、衣類の後耳部に取り付けられた時に、使用中に主に衣類の嵌合を維持する側部シームを形成する側部取り付け領域を有する使い棄て衣類を形成する。中間取り付け領域は、衣類との嵌合を調整し、更に衣類のような外観を維持するために有益である。衣類の可能な１つの特性は、衣類の残りの部分と同じ身体側材料から形成される後耳部を有する可能性であり、折り畳まないタブ又は同様のものなしに、締結用組立体に取り付けることができる。
【００１２】
前述した全体的説明及び以下の詳細な説明は、両方とも例示的なものであり、本発明の特許請求の範囲の説明を更に与えるように意図されているものである。本明細書に組み込まれて、本明細書の一部を構成する添付図面は、本発明の物品を図示し、その更なる理解を説明するためのものである。説明と共に、図面は本発明の様々な態様を説明するものである。
【００１３】
本発明は、本発明の以下の詳細な説明、及び、同じ番号が同じ要素を表わす、添付図面を参照すると、一層全体的に理解され、更なる利点が明らかになるであろう。図面は、代表的なものだけであり、添付された特許請求の範囲を制限するものではない。
【発明を実施するための最良の形態】
【００１４】
本発明のこの開示は、様々な部品、要素、構成、形態、配列及び本発明の「態様」という用語、又は他の類似した用語により個々に又は総合的に参照することができる他の特性によって表わされる。本発明の様々な形態は、１又はそれ以上の様々な特性及び態様に組み込むことができ、このような特性及び態様は、あらゆるこれらの望ましい、作動的な組み合わせで使用することができることが考慮される。
【００１５】
本開示において使用される場合、「含む」、「含まれる」及び「含む」の語幹からの他の派生語は、制限なしの用語を意味し、述べたあらゆる特性、要素、部品、段階、又は成分の存在を意味し、１又はそれ以上の他の特性、要素、部品、段階、成分、又はこれらのグループの存在又は付加を排除するものではないことに留意するべきである。
【００１６】
本明細書の内容においては、以下の各々の用語又は言い回しは、次のような意味を含む。
【００１７】
「取り付ける」及びその派生語は、２つの要素を互いに、接合、接着剤接着、結合、接着、縫い合わせ、又は同様のものを意味する。２つの要素が互いに一体であるか、又は互いが直接取り付けられているか、又は互いが直接中間要素に取り付けられている時のように、互いが間接的に取り付けられている時に、２つの要素は互いに取り付けられているとみなされる。「取り付ける」及びその派生語は、永久的取り付け、取り外し可能な取り付け、又は再締結可能な取り付けを含む。更に、取り付けは、製造工程の間に、又は最終使用者のいずれかにより完成させることができる。
【００１８】
「接着する」及びその派生語は、２つの要素を互いに接合、接着剤接着、結合、取り付け、縫い合わせ、又は同様のものを意味する。２つの要素が、互いに直接接着されているか、又は各々が中間要素に直接接着されている時のように、互いが間接的に接着されている時に、共に接着されているとみなされる。「接着」及びその派生語は、永久的接着、取り外し可能な接着、又は再締結可能な接着を含む。
【００１９】
「結合する」及びその派生語は、２つの要素を互いに接合し、接着剤接着し、接着し、取り付け、縫い合わせること、又は同様のものを意味する。２つの要素が、互いに直接結合されているか、又は各々が中間要素に直接結合されている時のように、互いが間接的に結合されている時に、共に結合されているとみなされる。「結合」及びその派生語は、永久的結合、取り外し可能な結合、又は再締結可能な結合を含む。更に、結合は、製造工程の間に、又は最終使用者のいずれかにより完成することができる。
【００２０】
「配置する」、「沿って配置する」又は「向かって配置する」及びこれらの変形は、１つの要素が別の要素と一体とすることができるか、又は１つの要素が別の要素と接着した別個の構造とするか、又は別の要素と位置する、又は別の要素の近くに位置することを意味する。
【００２１】
「弾性の」、「弾性化した」、「弾性」及び「エラストマー性」は、変形を引き起こす力を取り除いた後、その最初の大きさ及び形状に回復しようとする材料又は複合体の特性を意味する。適当なものとしては、弾性材料又は複合体は、その弛緩した長さの少なくとも２５パーセントまで（１２５パーセントまで）伸びることができ、付与した力を取り除いた時に、少なくともその伸びの４０パーセントが回復する。望ましくは、弾性材料又は複合体は、弛緩した長さの少なくとも１００パーセントまで（２００パーセントまで）、より望ましくは少なくとも１５０パーセントまで（２５０パーセントまで）伸びることが可能であり、付与した力を取り除いた時には、その伸びの少なくとも５０パーセントが回復する。
【００２２】
「フック・ループ型締結具」は、「フック」部品と相補的ループ部品を含む締結手段を意味する。「フック」という用語は、突出する又は係合する要素を有する材料を指称するために使用される。「フック」という用語を使用することは、係合要素が、ループ又は同様のものにより特徴付けられる相補的締結部品又は材料を係合するようになる限り、当業者に知られているようなあらゆる形状を含むことができるという意味において、限定的ではないことを理解するべきである。単数で使用される場合の「層」は、単一要素又は複数の要素という２つの意味を持つことができる。
【００２３】
層又は多層積層体を説明する時に使用される場合の「液体不透過性」は、尿などの液体が、通常の使用条件の下で、液体接触点で層又は積層体の平面にほぼ垂直な方向に、層又は積層体を通して通過しないことを意味する。
【００２４】
「液体透過性」は、液体不透過性ではないあらゆる材料を意味する。
【００２５】
「不織」及び「不織ウエブ」は、布織り又は編み工程の介助なしに形成される材料及びウエブの材料を意味する。例えば、不織材料、布又はウエブは、例えば、メルトブロー法、スパンボンド法、空気堆積法、及びボンデッドカーデッドウエブ法などの、多くの方法から形成される。
【００２６】
「延伸可能な」は、少なくとも１つの方向に、破断することなく、少なくとも２５パーセント（最初の（延伸していない）長さ）の１２５パーセントまで）、適当なものとしては少なくとも１００パーセント（最初の長さの２００パーセントまで）、望ましくは少なくとも１５０パーセント（少なくともその最初の長さの２５０パーセント）まで延伸することができる材料を意味することができ、付与された力を取り除いた時、特性を回復することもできるし、或いは回復することができないものもある。弾性材料及び伸長可能な材料は、各々が延伸可能な材料である。
【００２７】
「超吸収性材料」は、最も好ましい条件の下では、約０．９重量パーセントの塩化ナトリウムを含む水溶液において、その重量の少なくとも約１０倍を、より望ましくはその重量の少なくとも約３０倍を吸収することが可能な、水膨潤性、水溶性有機又は無機材料を意味する。
【００２８】
これらの用語は、本明細書の残りの部分において、付加的言語で定めることができる。
【００２９】
本発明は、改善された締結システムを有する使い棄て衣類を提供することに向けられる。更に、本発明は、以前には認められておらず、期待されてもいない利益を提供する特異な特性の組み合わせを有する衣類に向けられる。本発明の詳細な説明は、このような衣類の様々な部品を含む、代表的使い棄て衣類の説明を含む。代表的使い棄て衣類の説明は、本発明に含まれる多くの特性の説明を含む。
【００３０】
代表的使い棄て衣類
本発明の吸収性物品は、使い棄てオムツ物品に関して、及び幼児の低い胴部に着用されるのに適したオムツパンツに関して述べられる。図１−８に示されている代表的使い棄て衣類の各々は、衣類の前腰部領域に位置される機械的締結用組立体を有する。本発明の特性は、大人用失禁用衣類、訓練用パンツ及び使い棄て水泳用パンツなどの他の型の吸収性物品に対しても、同様に適合可能である。
【００３１】
図１は、締結していない、拡げた状態で、平坦に置かれた形態にあって、オムツの表面が、観察者に向いた側にある着用者の肌に接触するような状態のオムツを部分的に切り取って下側の形状を示す、再締結可能な使い棄てオムツの例である。図１及び２に示されているように、オムツパンツ又はオムツ２０は、前腰部領域２２、後腰部領域２４、前腰部領域２２と後腰部領域２４の間に延び、これら領域を結合する股部領域２６、縦方向３８及び横方向４０を含む。前腰部領域２２は、着用された時、着用者の前部に位置するオムツ２０の部分を含み、後ろ腰部領域２４は、着用された時、着用者の後部に位置するオムツ２０の部分を含む。オムツ２０の股部２６は、着用された時、着用者の脚部の間に位置し、着用者の低い胴部を覆うオムツ２０の部分を含む。
【００３２】
オムツ２０は、１対の横方向両側の側部縁３０、１対の縦方向両側の腰部縁３２、着用者に接触するように構成された内側表面３４、及び使用中に着用者の衣服に接触するように構成された、内側表面３４に対向する外側表面３６を定める。示されたオムツ２０は、実質的には液体不透過性外カバー４２、及び該外カバー４２と重なる関係で結合することができる液体透過性身体側ライナー４４を含む。吸収性芯２８は、外カバー４２と身体側ライナー４４との間に位置される。オムツ２０の横方向両側の側部縁３０は、外カバー４２の側部縁により全体的に定められ、脚部開口を定めており、この脚部開口は曲線とすることができる。オムツ２０の腰部縁３２は、外カバー４２の腰部縁により全体的に定められ、着用した時に、着用者の腰部を囲むように構成される腰部開口を定める。吸収性芯２８は、着用者から廃棄される身体排出物を収容及び／又は吸収するように形成される。オムツ２０は、更に当業者に知られているような脚部弾性材５４、収容フラップ５６及び腰部弾性材５８を含むことができる。オムツ２０の個々の部品は、オムツ２０の意図する使用に応じて、任意なものとすることができる。
【００３３】
オムツ２０は、様々な適当な形状とすることができる。例えば、図１に示されているような締結されていない形態においては、オムツ２０は、全体的に長方形型、Ｔ型、Ｉ型、又はほぼ砂時計型を有することができる。示された実施形態においては、オムツ２０は、全体的に、締結されていない形態のＩ型を有する。
【００３４】
オムツ２０の様々な部品は、接着剤接着、音波接着、及び熱接着又はこれらの組み合わせなどの、適当な様々な型の取り付け手段を使用して、一体に組立てられる。例えば、示した実施形態においては、外カバー４２及び身体側ライナー４４は、互いに組立てられて、更にホットメルト、感圧性接着剤などの接着剤で、吸収性芯２８に組立てられる。接着剤は、接着剤の均一な連続する層、接着剤のパターン化した層、接着剤のスプレー型パターン、又は接着剤の別個の線、渦巻き又は点の列として付与することができる。代替的には、吸収性芯２８は、ボタン、フック・ループ型締結具、接着剤テープ締結具、及び同様のものなどの従来の締結具を使用して、外カバー４２に結合することができる。オムツ２０の他の部品は、同様の手段を使用して、適当に結合することができる。同様に、弾性部材５４及び５８、及び機械締結具（ここに述べている）などの他のオムツ部品は、上記した取り付け機構を使用して、オムツ２０物品に組立てることができる。望ましくは、オムツ部品のほとんどは、製造費用を減少するために、超音波接着技術を使用して、互いに組立てられる。
【００３５】
図２に代表的に示されているように、オムツ２０の外カバー４２は、適当なものとしては、液体透過性又は液体不透過性のいずれかである材料から形成することができる。外カバー４２は、実質的には液体に不透過性である材料から形成されることが、一般的には好まれる。典型的外カバー４２は、薄い可塑性フィルム又は他の可撓性液体不透過性材料から製造することができる。例えば、外カバー４２は、約０．０１３ミリメートル（０．５ミル）から約０．０５１ミリメートル（２．０ミル）の厚さを有するポリエチレンフィルムから形成することができる。外カバー４２の材料は、互いに熱により又は接着剤により積層化することができる。ビード、スプレー、平行渦巻き、又は同様のものとして、連続して又は断続的に付与することができる、適当な積層体接着剤は、米国ウイスコンシン州ウオーワトサのＢｏｓｔｉｋ−Ｆｉｎｄｌｅｙ，Ｉｎｃ．、又は米国ニュージャージー州ブリッジウオーターのＮａｔｉｏｎａｌ  Ｓｔａｒｃｈ  ａｎｄ  Ｃｈｅｍｉｃａｌ  Ｃｏｍｐａｎｙから得ることができる。より布のような感触を有する外カバー４２が望まれる場合は、外カバー４２は、その外側表面に積層化された不織ウエブを有するポリオレフィン繊維のスパンボンドウエブなどの、ポリオレフィンフィルムから形成することができる。例えば、約０．０１５ミリメートル（０．６ミル）の厚さを有する延伸肉薄化されたポリプロピレンフィルムは、ポリプロピレン繊維のスパンボンドウエブに熱により積層化することができる。ポリプロピレン繊維は、約１５から２０ミクロンの繊維直径を有し、不織ウエブは、約１７グラム／平方メートル（０．５オンス／平方ヤード）の基本重量を有することができる。外カバー４２は、ポリエチレン／ポリプロピレン二成分繊維などの、二成分繊維を含むことができる。このような、布のような外カバーの形成法は、当業者に知られている。外カバー４２は、２００３年４月２２日付けのＲｏｅｓｓｌｅｒ他の米国特許第６，５５２，２４５号に記載される外カバーのような伸長可能な外カバーとすることができる。外カバー４２は、２００４年３月９日付けのＶｕｋｏｓ他の米国特許第６，７０２，８００号に記載されている外カバーのような二軸方向に延伸可能な外カバーとすることができる。
【００３６】
外カバー４２は、吸収性芯２８に近位の又は近接する選択した領域に、望ましいレベルの液体不透過性を与えるために、全体的に又は部分的に形成又は処理された織成又は不織繊維性ウエブ層で形成することができる。更に、外カバー４２は、任意なものとしては、マイクロポーラス「通気性」材料で形成することができ、吸収性芯２８から蒸気を逃がすことを可能とするが、液体排出物が外カバー４２を通って通過することは妨げる。例えば、外カバー４２は、マイクロポーラスフィルムに積層化された蒸気透過性不織表面層を含むことができる。適当な「通気性」外カバー材料は、１９９７年１２月９日付けのＭｃＣｏｒｍａｃｋ他の米国特許第５，６９５，８６８号及び１９９８年１２月１日付けのＧｏｏｄ他の米国特許第５，８４３，０５６号に記載されており、引用によりここに組み入れられる。更に外カバー４２は、延伸熱積層体（ＳＴＬ）、ネック付与状態で接着した積層体（ＮＢＬ）、又は延伸接着した積層体（ＳＢＬ）材料などのエラストマー性材料とすることができる。このような材料の形成法は当業者によく知られており、１９８７年５月５日付けのＷｉｓｎｅｓｋｉ他の米国特許第４，６６３，２２０号、１９９３年７月１３日付けのＭｏｒｍａｎの米国特許第５，２２６，９９２号、及び１９８７年４月８日付けのＴａｙｌｏｒ他の欧州特許出願ＥＰ０２１７０３２に記載されており、これらの特許は引用によりここに組み入れられる。外カバー４２は、一層美的な喜ばれる外観を形成するために、エンボス加工するか、又はそうでなければつや消し仕上げで処理することができる。
【００３７】
外カバー４２が湿った又は湿っぽく感じるような感覚を減少するために、本発明のオムツ／オムツパンツ２０は、吸収性芯２８の衣類側表面と外カバー４２との間に空間又は通気層（図示されず）を含むことができる。通気層は、例えばスパンボンド−メルトブローン−スパンボンド不織材料などの１つ又はそれ以上の不織材料を含むことができる。
【００３８】
本発明の代表的吸収性物品は、外カバー４２と重なる関係で、身体側ライナー４４を含む。図２及び図４に代表的に示されているように、身体側ライナー４４は、適当なものとしては、しなやかで、柔軟な感触があり、着用者の肌に刺激を与えない身体側表面を示している。更に身体側ライナー４４は、吸収性芯２８より親水性ではなく、着用者に比較的乾燥した表面を与え、かつ、液体透過性とするために十分多孔性とし、その厚さを通して液体を容易に透過させることができる。適当な身体側ライナー４４は、多孔性発泡体、網目状発泡体、孔あき可塑性フィルム、天然繊維（例えば、木質又は綿繊維）、合成繊維（例えば、ポリエステル又はポリプロピレン繊維）、又は天然繊維と合成繊維の組み合わせなどのウエブ材料から広く選択されて形成することができる。身体側ライナー４４は、適当なものとしては、着用者の皮膚を、吸収体２８に保持される液体から隔離させるように使用される。身体側ライナー４４は、２００３年４月２２日付けのＲｏｅｓｓｌｅｒ他の米国特許第６，５５２，２４５号に記載されているように、伸長可能な材料から形成することができる。身体側ライナー４４は、２００４年３月９日付けのＶｕｋｏｓ他の米国特許第６，７０２，８００号に記載されているような、ニ軸方向に延伸可能な材料から形成することができる。
【００３９】
様々な織成及び不織布が、身体側ライナー４４に使用することができる。例えば、身体側ライナーは、ポリオレフィン繊維のメルトブローン又はスパンボンドウエブで形成することができる。身体側ライナー４４は又、天然繊維及び／又は合成繊維で形成されるボンデッドカーデッドウエブとすることができる。身体側ライナー４４は、実質的には疎水性材料で形成することができ、疎水性材料は、任意なものとしては、界面活性剤で処理されるか、又はそうでなければ望ましいレベルの湿潤性及び親水性を与えるように加工される。本発明の特定の実施形態においては、身体側ライナー４４は、約２０グラム／平方メートルの基本重量及び約０．１３グラム／立方センチメートルの密度を有するウエブに形成される、繊維直径が約２１から２３ミクロンの繊維で形成される、不織布、スパンボンド布、ポリプロピレン布から形成される。布は、Ｈｏｄｇｓｏｎ  Ｔｅｘｔｉｌｅ  Ｃｈｅｍｉｃａｌｓ，Ｉｎｃ．から商業的に入手可能なＡＨＣＯＶＥＬ  Ｂａｓｅ  Ｎ−６２という商標名の界面活性剤などの、約０．３重量パーセントの界面活性剤で表面処理することができる。界面活性剤は、スプレー塗布、印刷、ブラシ被膜又は類似した技術などの、あらゆる従来の方法によって塗布することができる。界面活性剤は、身体側ライナー４４全体に付与するか、又はオムツの縦方向中央線に沿った中間部分などの、身体側ライナー４４の特定の部分に選択的に付与することができ、このような部分にかなりの湿潤性を与えることができる。身体側ライナー４４は更に、着用者の皮膚に移動するように形成される、付与された化粧水又はトリートメントを含むことができる。身体側ライナー４４に付与する適当な化合物は、２０００年１１月２１日付けのＫｒｚｙｓｉｋ他の米国特許第６，１４９，９３４号に記載されている。
【００４０】
本発明の代表的吸収性物品は、外カバー４２と身体側ライナー４４との間に位置する吸収性芯２８を含むことができる。図１及び図３に代表的に示されているように、オムツ２０の吸収性芯２８は、適当なものとしては、セルロース系フラフのウエブなどの、超吸収性材料として一般的に知られている高吸収性材料の粒子と混合された、親水性繊維のマトリックスを含むことができる。特定の態様においては、吸収性芯２８は、木質パルプフラフなどのセルロース系フラフのマトリックス、及び超吸収性ヒドロゲル形成粒子を含む。木質パルプフラフは、合成繊維、ポリマー性繊維、メルトブローン繊維又はメルトブローン繊維と天然繊維の組み合わせと交換することができる。超吸収性粒子は、実質的には、親水性繊維と均一に混合することができるか又は非均一に混合することができる。代替的には、吸収性芯２８は、繊維性ウエブ及び超吸収性材料の積層体、又は局所的領域に超吸収性材料を維持するための他の適当なマトリックスを含むことができる。
【００４１】
吸収性芯２８は、多くの形状のいずれとすることもできる。例えば、吸収性芯２８は、長方形、Ｉ型、又はＴ型とすることができる。吸収性芯２８は、オムツ２０の前又は後腰部部分より中間部分の方が狭いことが一般的に好まれる。吸収性芯２８は、単一層で形成されるか、又は代替的には、多層で形成することができ、これらすべては吸収性芯２８の長さ及び幅全体に延びる必要なない。本発明の特定の態様においては、吸収性芯２８は、一般的には、特に男子幼児用に対しては、性能を改善するために吸収性物品の前腰部領域２２に全体的に対応して、「Ｔ」の横方向に延びるクロスバーを有するＴ型とすることができる。
【００４２】
吸収性芯２８の大きさ及び吸収容量は、使用しようとする着用者の大きさ及び吸収性物品の意図する使用により与えられる液体負荷と両立性があるものとするべきである。更に、吸収性芯２８の大きさ及び吸収容量は、幼児から大人までの範囲にわたって、着用者を受け入れるようにするために変えることができる。更に、本発明では、吸収性芯２８の密度及び／又は基本重量は変化することができることがわかってきた。
【００４３】
高吸収性材料は、天然、合成、及び変性天然ポリマー及び材料から選択することができる。高吸収性材料は、シリカゲルなどの無機材料、又は架橋結合したポリマーなどの有機化合物とすることができる。「架橋結合した」という用語は、通常は水溶性材料を実質的には非水溶性ではあるが膨潤可能に効率的にするための方法を意味する。このような方法は、例えば、物理的交絡、結晶化領域、共有結合、イオン鎖及び結合体、水素結合などの親水性結合体、及び疎水性結合体又はワンデルワールス力を含む。
【００４４】
合成、ポリマー性、高吸収性材料の例としては、アルカリ金属及びポリ（アクリル酸）及びポリ（メタクリル酸）のアンモニウム塩、ポリ（アクリルアミド）、ポリ（ビニルエーテル）、ビニルエーテル及びアルファオレフィンを有する無水マレイン酸コポリマー、ポリ（ビニルピロリドン）、ポリ（ビニルモルフォリノン）、ポリ（ビニルアルコール）、及びこれらの混合物及びコポリマーを含む。更に、吸収性芯２８で使用するために適当なポリマーは、加水分解したアクリロニトリルグラフト澱粉、アクリル酸グラフト澱粉、メチルセルロース、カルボキシメチルセルロース、ヒドロキシプロピルセルロースなどの天然及び変性天然ポリマー、及びアルギン酸塩、キサンタンゴム、イナゴマメゴム、及び同様のものなどの天然ゴムを含む。天然ポリマーと全体的に又は部分的に合成である吸収性ポリマーの混合物も、本発明において有益とすることができる。
【００４５】
高吸収性材料は、広く種々異なるあらゆる幾何学形状とすることができる。通例、高吸収性材料は、別個の粒子の形態とすることが好ましい。しかしながら、高吸収性材料は、繊維、フレーク、ロッド、球、針、又は同様のものの形態とすることもできる。概して、高吸収性材料は、吸収性芯２８の総重量を基準にして、約５から約９０重量パーセントの量で、望ましくは少なくとも約３０重量パーセントの量で、より望ましくは少なくとも約５０重量パーセントの量で、吸収性芯２８に存在する。例えば、特定の態様においては、吸収性芯２８は、局所的領域において、高吸収性材料を維持するために繊維性ウエブ又は他の適当な材料に包まれた、少なくとも５０重量パーセント、更に望ましくは少なくとも約７０重量パーセントの高吸収性材料を含む積層体を含むことができる。
【００４６】
任意なものとしては、実質的には親水性ティッシュ又は不織ラップシート（図示されず）が、吸収性芯２８の構造の一体性を維持するために使用することができる。ラップシートは、典型的には、その少なくとも２つの主たる表面を覆って吸収性芯２８周囲に置かれる。ラップシートは、クレープ加工したワディング又は高い湿潤強度のティッシュなどの吸収性セルロース系材料で形成することができる。本発明の一態様においては、ラップシートは、吸収性芯２８を構成する多量の吸収性繊維に液体を迅速に分配することを介助する吸い上げ層を付与するように形成することができる。
【００４７】
吸収性芯２８及び吸収性芯２８内の高吸収性材料が薄いことにより、吸収性芯２８の液体吸い上げ率は、それ自体が非常に低く、すなわち吸収性芯２８内への多数の液体放出を十分に支えることができない。液体吸い上げ全体及び換気を改善するために、本発明の異なる態様のオムツ２０は、図１に代表的に示されているように、サージ処理材料５３の多孔で、液体透過性層を更に含むことができる。サージ処理層５３は、典型的には、吸収性芯２８よりあまり親水性ではなく、液体サージを急速に集積し、一時的に保持するのに作動可能な程度の密度及び基本重量を有し、液体を最初の入口点から、実質的には吸収性芯２８の他の部分に液体を完全に放出するまで移送する。この形態は、着用者の皮膚に対して位置決めされるオムツ２０の部分上に、液体が貯蔵及び堆積するのを妨げるように介助することができ、これにより着用者の湿潤した感覚を減少する。サージ処理層５３の構造は、オムツ２０内の換気を全体的に促進するものである。
【００４８】
様々な織成布及び不織布が、サージ処理層５３を形成するために使用することができる。例えば、サージ処理層５３は、ポリオレフィン繊維などの合成繊維のメルトブローン又はスパンボンドウエブで形成された層とすることができる。サージ処理層５３は、天然繊維及び合成繊維で形成されたボンデッドカーデッドウエブ又は空気堆積ウエブとすることができる。例えば、ボンデッドカーデッドウエブは、低溶融結合材繊維、粉末剤又は接着剤を使用して接着される熱接着ウエブとすることができる。ウエブは、任意なものとしては異なる繊維の混合物を含むことができる。サージ処理層５３は、実質的には疎水性材料で形成することができ、疎水性材料は、任意なものとしては、望まれる程度の湿潤性及び親水性を与えるために、界面活性剤で処理されるか、又はそうでなければ加工することができる。特定の態様においては、サージ処理層５３は、約３０から約１２０グラム／平方メートルの基本重量を有する疎水性の不織材料を含む。
【００４９】
本発明の吸収性物品は、付加的部品を含むことができる。例えば、図１−４に代表的に示されているように、使い棄てオムツ２０は、身体排出物の横方向流れにバリアを付与するように形成された１対の収容フラップ５６を含むことができる。収容フラップ５６は、吸収性芯２８の側部縁に近接する、オムツの横方向両側の側部縁３０に沿って位置することができる。各々の収容フラップ５６は、典型的には、オムツ２０の少なくとも股部領域２６において、直立した、垂直な形態を維持し、着用者の身体に対してシールを形成するように形成される、取り付けられていない縁部を定める。収容フラップ５６は、吸収性芯２８の長さ全体に沿って縦方向に延びるか、又は吸収性芯２８の長さに沿って部分的にだけ延びることができる。収容フラップ５６が吸収性芯２８の長さより短い場合は、収容フラップ５６は、股部領域２６において、オムツ２０の側部縁３０に沿ってあらゆる部分に、選択的に位置決めすることができる。本発明の特定の態様においては、収容フラップ５６は、身体排出物をより良く収容するために、吸収性芯２８の長さ全体に沿って延びる。このような収容フラップ５６は、当業者に一般的によく知られている。
【００５０】
本発明の異なる形態のオムツ２０は、更にオムツ２０の腰部縁３２及び側部縁３０に弾性材を含み、身体排出物の漏れを妨げて、吸収性芯２８を支持することができる。例えば、図１−４に代表的に示されているように、本発明のオムツ２０は、股部領域２６でオムツ２０の横方向両側の側部縁３０に結合する、１対の脚部弾性部材５４を含むことができる。オムツ２０は又、オムツ２０の縦方向両側の腰部縁３２に結合する、１対の腰部弾性部材５８を含むことができる。脚部弾性材５４及び腰部弾性材５８は、使用中に、全体的に着用者の脚部及び腰部周囲に嵌合するようにされており、オムツ２０からの身体排出物の漏れを効率的に減少または排除するために、着用者と積極的に接触する関係を維持する。
【００５１】
脚部弾性材５４及び腰部弾性材５８として使用するために適当な材料は、当業者によく知られている。このような材料の例としては、ポリマー性、エラストマー性材料のシート又はストランド又はリボンであり、延伸した位置に外カバー４２に接着されるか、又は外カバーがプリーツ加工される時に外カバー４２に取り付けることができ、弾性圧縮力が外カバー４２に与えられる。脚部弾性材５４は、ポリウレタン、合成及び天然ゴムのような材料を含むことができる。腰部弾性材５８は、外カバー４２に取り付けられる弾性ストランドにより形成することができるか、又は物品の腰部領域に、別個の延伸可能な材料片を取り付けることにより形成することができる。例えば、腰部弾性材５８は、物品の内側表面３４に取り付けられる延伸接着した積層体材料片を含み、腰バンドを形成することができる。種々異なる周知の手段を利用して、吸収性物品の腰部開口に弾性を付加又は組み込むことができる。
【００５２】
一般的に、オムツパンツのシャーシは、２００３年１２月３１日付けの米国特許出願一連番号１０／７５０，２５３及び２００４年６月２９日付けの米国特許出願一連番号１０／８７９，３２３に記載されているシャーシと類似したものとすることができる。両方の出願は、本特許に矛盾することのない範囲で引用により組み込まれる。
【００５３】
本発明の吸収性物品は、以下に述べるように、再締結可能な機械締結用組立体６０を含み、物品の縦方向側部から横方向外向きに延びる１又はそれ以上の部品とともに作動することができる。
【００５４】
各々の腰部領域２２、２４は、そこから延びる１対の耳部を有することができる。各々の腰部領域２２、２４は、横方向耳部の間に、すなわち後耳部６２と前耳部６４のそれぞれの間に中央部分を定める。前耳部６４及び後耳部６２は、吸収性物品の嵌合性を改善するために使用することができる。例えば、前耳部６４は、着用者の腰部周囲に付加的遮蔽を与えることができ、介護人が物品の着用者の前腰部領域２２に位置決めするのを補助することができる。後耳部６２も又、着用者の腰部周囲に遮蔽を与えることができる。より特定的には、後耳部６２は、物品の後腰部領域２４と前腰部領域２２との間を繋ぐ材料を形成することができ、後耳部６２は、物品の腰部開口の部分及び物品の脚部開口の上部縁を形成する。
【００５５】
図１を参照すると、各々の後耳部６２は、近位領域９６ｂで腰部領域と結合する。両側の末端領域９８は、外側縁９７により定められる。各々の後耳部６２は更に、オムツが着用される時に、着用者の身体と接触させることができる内側表面６３、すなわち身体側表面を有する。後耳部６２と同様に、前耳部６４は、腰部領域２２の近位に位置する近位領域９６ａを有する。前耳部６４の最外側部分は、外側縁７４に定められる端縁部７２に末端に位置される。
【００５６】
後耳部６２は、延伸可能及び伸長可能な材料、又は非延伸可能及び非伸長可能な材料を含むか又はこれらの材料で形成することができる。更に後耳部６２は、示されるように、オムツ２０の残りの部分と一体とするか、又はオムツ２０に取り付けられる別個の部品（図示されず）とすることができる。後耳部６２及び前耳部６４が一体に形成される場合は、外カバー４２及び／又は身体側ライナー材料により定めることができる。
【００５７】
後耳部６２は、そこに取り付けられる別個の機械締結用部品を有することもでき、又は有さないこともできる。このような部品は、各々の後耳部６２から実質的には横方向に外向きに延びるタブ部材（図示せず）とすることができる。耳部同様に、タブは一体で、取り付けることができ、延伸可能及び／又は伸長可能とすることもでき、或いは延伸可能でも伸長可能でもないものとすることができる。
【００５８】
後耳部６２は、内側耳部表面６３に取り付けられる締結用材料を含むことができ、縦方向３８及び横方向４０に延びる平面において、耳部６２から外向きには延びない。適当なものとしては、後耳部６２は、別個のタブ又は機械締結用部品を含まず、その代わりに機械締結用組立体６０と直接係合することが可能な身体側表面６３を有する。これが与える利点は、着用者が、後耳部６２上の締結具を、機械締結用組立体６０に故意に適合させる必要がないことである。例えば、子供の世話人は、オムツを変える時に、タブ又は後耳部締結用部品を捜す必要がなく、更に可動性又は視力が制限されている大人が、失禁用衣類を着用する時に、タブ又は後耳部締結用部品を触る又は捜す必要がない。
【００５９】
望ましくは、後耳部６２は、前腰部領域２２上に位置される機械締結用組立体６０（図１参照）に係合することができる材料で形成することができる。後耳部６２を形成することができる例示的材料は、その間に２つの不織（例えば、スパンボンド）表面材及びエラストマー性フィルム（例えば、ＫＲＡＴＯＮフィルム）が積層化されたネック付与状態で接着した積層体とする。他の適当な延伸可能な材料は、当業者に知られている。後耳部６２が延伸可能な材料を含む場合、嵌合する範囲が増加した結果として、物品は更に多くの範囲の使用者により着用することができる。物品の意図に応じて、前耳部６４が延伸可能な材料を含むことが望ましい場合もある。
【００６０】
前及び後耳部６２、６４の形状及び大きさは、図面に例示として示しているものから変化することができる。更に、吸収性物品の製品形状が訓練用パンツ又は水泳用パンツの場合は、後耳部６２及び前耳部６４は、物品の縦方向側部３０に取り付けられ、更に互いが取り付けられて、物品の側部シームを形成する側部パネルを含むと理解される。典型的には、訓練用パンツ及び水泳用パンツの側部パネルは、延伸可能な材料から形成される。側部パネルの延伸力は、着用者が下着のようにこれらの製品を引っ張り上げることを可能とさせる。
【００６１】
機械締結用組立体６０は、オムツ２０の後耳部６２に取り外し可能に係合する。一般的には、締結用組立体６０は、中間部８０により分割される１対の外側領域７５により定められる細長い部材である。各々の外側領域７５の最外側横方向縁部は、末端縁７０により定められる。縦方向３８においては、末端縁７０の縦方向長さは、中間部８０の縦方向長さより大きいものとすることができる。適当なものとしては、中間部８０の長さは、内側縁８２から末端縁７０の長さに達するまで、次第にその長さを増加することができる。同様に、中間部８０の長さは、外側縁８３から末端縁７０の長さに達するまで、次第にその長さを増加することができる。ここに示したように、締結用組立体６０は、様々な形態を有し、単一又は多数の部品を有することができる。
【００６２】
締結用組立体６０の一実施形態が、図１−４に示されている。この特定の実施形態においては、締結用組立体６０は、一体で、左右対称の構成を有する。締結用組立体６０は、全体的に、耳部６４の前外側縁７４の間に横方向に位置決めされる、蝶ネクタイ形状の細長い部材である。締結用組立体６０は、衣類の前端縁部７２に延びるか、又は衣類の前外側縁７４に完全に延びることができる２つの末端縁７０を有する。
【００６３】
望ましくは、縦方向３８においては、各々の末端縁７０の長さは、オムツ２０が締結された位置にある時、側部シーム７６が形成されるような長さとする。ここに示された実施形態のあらゆるものに対して、側部シーム７６は、前腰部領域２２と後腰部領域２４との間の接着により定められる。側部シーム７６は、オムツ２０が着用者の身体に嵌合する、最初の締結又は接着である。側部シーム７６は、着用者の全体的臀部領域と一致し、１対の従来の布下着に見られるシームのように位置決めされるか、或いは１対の従来の布下着に見られるシームより前方又は後方に位置するかのいずれかとすることができる。
【００６４】
更に図１−４を参照すると、締結用中間部８０は、縦方向中央線で又は縦方向３８に計測される長さ、及び横方向４０に計測される幅を有する。中間部８０の幅は、各々の端部縁７０の間の距離の約７０パーセントとすることができる。中間部８０は、各々の末端縁、すなわち最外側縁の長さより小さい長さを有することができる。末端縁７０と比較して短い中間部８０を有する目的は、オムツ２０が垂れ下がったり、又は着用者の腹部により押し下げられることを妨げるためである。締結用組立体６０の例示的形状は、中間部８０が長方形とするが、他の形状、例えば砂時計型、楕円形なども可能である。例えば、収容フラップ５６の外側縁の近位において、中間部８０の長さは、内側縁８２と外側縁８３から末端縁７０の長さに達するまで、線状に増加することができる。しかしながら、締結用組立体６０が、図１−４に示される形状そのままの形状を有することは重要なことではない。むしろ、中間部８０が、約１．２ｃｍから約７．６ｃｍ（０．５インチから約３インチ）の長さを有し、更に末端縁７０が、約３．８ｃｍから約２０．３ｃｍ（１．５インチから約８インチ）の長さを有することが望ましい。より適当なものとしては、中間部８０が、約２．５ｃｍから約５．１ｃｍ（１インチから約２インチ）の長さを有し、更に末端縁７０が、約５．１ｃｍから約１５．２ｃｍ（２インチから約６インチ）の長さを有することが望ましい。更に適当なものとしては、中間部８０が、約３．２ｃｍから約３．８ｃｍ（１．２５インチから約１．５インチ）の長さを有し、更に末端縁７０が、約６．４ｃｍから約１２．７ｃｍ（２．５インチから約５インチ）の長さを有することが望ましい。代替的手法においては、締結用組立体６０全体を定める周辺部は、Ｉ型、砂時計型、又は末端縁７０における長さが、中間部８０の長さより長いあらゆる他の形状とすることができる。更に、締結用組立体６０は、オムツ２０の縦方向軸に対して左右対称とすることができ、あらゆる他の方向には左右対称とするものではない。
【００６５】
代替的には、図５−８に示されているように、締結用組立体６０は、多数の締結用要素を有することができる。図５及び６を参照すると、締結用組立体６０の第二実施形態が、締結用組立体６０ａとして示されている。締結用組立体６０ａは、連続していないという点で締結用組立体６０と全体的に異なる。例示として示されているように、締結組立体６０ａは、大きさが変化することができる別個の締結用部品１８４及び中央部品１８５から形成される。適当なものとしては、特定の腰部領域内では、内側に位置される部品１８４は、外側に位置される部品よりも短い。例えば、図６を参照すると、各々の前耳部６４に対応して３つの部品１８４がある場合、縦方向３８に関して最も長い部品を１８４ａとする。部品１８４ａは、末端縁７０を定める最外側縁部を有する。最も短い部品は、中央部品８５に近接して位置する、部品１８４ｃとすることができる。中間長さの部品は、部品１８４ａと１８４ｃとの間の横方向空間に位置する、部品１８４ｂとすることができる。最も適当なものとしては、部品１８４ａは、オムツ２０が締結した状態の時に、側部シーム７６の長さを定める。各々のこのような部品の縦方向軸は、実質的には縦方向３８と整列するように、部品１８４ａ−ｃを方向付けることができる。中央部品１８５は、単一の細長い材料片とすることができ、その最も長い軸が横方向４０となるように、オムツ２０に配置される。適当なものとしては、中央部品１８５は、各々の部品１８４ｃから横方向に間隔を持つ。
【００６６】
締結用組立体６０ａは、７つの別個の部品から形成されるように示されているが、多数の部品から形成することもできる。更に、各々の別個の部品１８４及び１８５の形状は、示しているように長方形とする必要はないが、一連のドット、楕円、線（直線又は曲線のいずれか）、装飾型形状、及び同様のものから形成することができる。
【００６７】
締結用組立体６０ａの全体的な一般的形状は、図１に示された締結用組立体６０と同一のものとすることができる。代替的には、締結用組立体６０ａは、全体的に、Ｉ型、砂時計型、又は末端縁７０の長さが中間部８０より長さが大きい、あらゆる他の連続する形状とすることができる。部品１８４ａ−ｃの平均縦方向長さは、衣類の縦方向軸で計測した時、少なくとも約４０％及び多くても約６０％が、中間部８０の縦方向長さより大きいものとすることができる。より適当なものとしては、少なくとも約３０％及び多くても約７０％、更により適当なものとしては、少なくとも約２０％及び多くても約１３０％とすることができる。更に、締結用組立体６０ａは、オムツ２０の縦方向軸に対して左右対称とすることができ、あらゆる他の方向には左右対称ではない。
【００６８】
横方向４０で計測される様々な部品の幅は、締結具材料の特性及びオムツが覆うものの大きさの範囲に応じて、変化することができる。特に、中央部品１８５の幅は、着用者に対して大きさの変化が必要な場合、その変化まで後耳部６２を締結することが可能なものとすることができる。したがって、後耳部６２は、中央部品１８５の幅の約５０パーセントから中央部品１８５の幅の少なくとも約１５パーセントまでが重なることができるか、又は覆うことができる。更に、１つの耳部は、他方の耳部より中央部品の著しく大きい面積を覆うことができ、例えば面積比９０／１０が可能である。部品１８４の幅は、部品によって変化することができるか、又は同じものとする。適当なものとしては、部品１８４の幅は、約１０ｍｍから約３０ｍｍ、より適当なものとしては約５ｍｍから約２０ｍｍ、更に適当なものとしては約３ｍｍから約１０ｍｍとする。
【００６９】
図７及び８を参照すると、締結用組立体６０の第三実施形態が、締結用組立体６０ｂとして示されている。締結用組立体６０は、全体的に連続していないという点で締結用組立体６０と異なり、更に３つの別個の部品、すなわち外側部品９０及び中央部品９２から成るという点で締結用組立体６０ａと異なる。
【００７０】
外側部品９０は、オムツ２０が締結した状態の場合に、側部シーム７６を形成する。外側部品は実質的には、縦方向３８と整列することができ、中央部品は、実質的には横方向４０と整列することができる。
【００７１】
前述した実施形態では、各々の別個の部品９０、９２の形状は、示されているように長方形である必要はないが、一連のドット、楕円、三角形、線（直線又は曲線のいずれか）、装飾的形状、及び同様のもので形成することができる。この特定の実施形態においては、３つの部品だけであるので、締結用組立体６０ｂは、全体的にＩ型を有し、末端縁７０は、縦方向３８において、中間部８０より大きい長さである。適当なものとしては、中間部８０は、約１．２ｃｍから約７．６ｃｍ（０．５インチから約３インチ）の長さを有し、末端縁７０は、約３．８ｃｍから約２０．３ｃｍ（１．５インチから約８インチ）の長さを有することが望ましい。より適当なものとしては、中間部８０は、約２．５ｃｍから約５．１ｃｍ（１インチから約２インチ）の長さを有し、末端縁７０は、約５．１ｃｍから約１５．２ｃｍ（２インチから約６インチ）の長さを有することが望ましい。更に適当なものとしては、中間部８０は、約３．２ｃｍから約３．８ｃｍ（１．２５インチから約１．５インチ）の長さを有し、末端縁７０は、約６．４ｃｍから約１２．７ｃｍ（２．５インチから約５インチ）の長さを有することが望ましい。
【００７２】
様々な部品の幅は、締結具材料の特性及びオムツが覆うものの大きさの範囲に応じて、変化することができる。特に、中央部品９２の幅は、着用者に対して大きさの変化が必要な場合、その変化まで後耳部６２を締結することが可能なものとすることができる。したがって、後耳部６２は、中央部品９２の幅の約５０パーセントを覆うことができるか、又は前の実施形態において述べたように重なることが可能である。すなわち、後耳部６２は、中央部品９２の少なくとも約１５パーセントを、各々覆うことができる。適当なものとしては、外側部品の幅は、約５ｍｍから約２５ｍｍ、より適当なものとしては約１０ｍｍから約２０ｍｍ、更に適当なものとしては約１２ｍｍから約１５ｍｍとすることができる。
【００７３】
図１−８に示された締結用組立体の実施形態にかかわらず、後耳部６２と締結用組立体（６０−６０ｂ）との間の再締結可能な結合は、締結用組立体が後耳部６２に接触する部分に応じて、剥離強度及び／剪断強度が変化することが望ましい。後耳部６２の近位領域９６ｂは、締結用組立体６０−６０ｂの外側領域７５に取り付けられて、最初の剥離強度及び剪断強度により特徴付けられる再締結可能な側部シーム７６を形成する。後耳部６２の末端領域９８は、オムツ／パンツが着用者の身体に嵌合するように調整するために使用される、締結用組立体の中間部又は中央部と第二接着を形成する。このようにして、後耳部６２の末端領域９８は、締結用組立体６０−６０ｂの中間部品又は中央部品（８０、１８５又は９２）と、第二剥離強度及び剪断強度に特徴付けられる再締結可能な結合を有する。
【００７４】
締結用組立体部品と後耳部との間の剥離及び剪断強度が計測され、締結具表面積、縦横比、及び／又は長さを考慮して、「基準上」の力が得られる。ここに示されたフック・ループ型締結具のためのテスト技術（又はフック・ループ型ではない締結具のための比較技術）を使用すると、基準上の最初の剥離力は、多くても約１０から約２００パーセントだけ、より適当なものとしては多くても約１０から約７５パーセントだけ、更により適当なものとしては多くても約１５から約５０パーセントだけが、基準上の第二剥離力より大きいものとすることができる。最初の剪断強度は、多くても約１０から２００パーセントだけ、より適当なものとしては多くても約２０から約１５０パーセントだけ、更により適当なものとしては多くても約３０から約１００パーセントだけが、第二剪断強度より大きいものとすることができる。
【００７５】
締結具の剥離強度は、締結具の長さに正比例し、締結具の長さは、剥離力に垂直な方向で計測される。例えば、最初の締結具の長さが７．６ｃｍ（３インチ）で、同じ材料から形成される第二締結具の長さが２．５ｃｍ（１．０インチ）の場合は、最初の締結具を材料から剥離するために必要な力は、第二締結具を同じ材料から剥離するために必要な力の約３倍である。
【００７６】
締結具の剪断強度は、締結用組立体と後耳部の接触部分の表面積及び縦横比に関連する。最初の締結具の表面積が、第二締結具の表面積より大きい時、縦横比及び材料が同じ場合には、最初の締結具は、第二締結具より大きい剪断強度を示す。例えば、５．０８平方センチメートル（２平方インチ）の面積を有する四角の締結用部品は、２．５４平方センチメートル（１．０平方インチ）の面積を有する四角の締結用部品の、約２倍の剪断強度を有することができる。表面積を一定に保持し、同じ締結用材料が長方形であるものの縦横比を例えば２：１にすると、長方形締結具が付与された剪断強度に対してどの方向に向けられているかに応じて、低い剪断強度又は高い剪断強度を示すことができる。
【００７７】
剥離力テスト
この手順は、２つの材料を接合する機械締結用システムを分離するために必要とされる剥離力を計測するための、引張ベンチテストである。分離の剥離力は、２つの材料を、接触面に垂直に引っ張る時の負荷値を求めることにより計測される。この用途における取り外し（剥離）の方向は、製品の使用中に、締結用材料が全体的に基体から取り外される時の方向である。剥離力は、接触面積で割って基準化され、面積当たりの力で示される。
【００７８】
装置
１．引張テスターは、ピーク荷重を得ることができるもので、適当なロードセルを装備しているものである。適当な引張テストシステムは、ノースカロライナ州のリサーチトライアングルパークのＭＴＳ  Ｓｉｎｔｅｃｈから商業的に入手可能な、Ｓｉｎｔｅｃｈ  ＱＡＤ（Ｑｕａｌｉｔｙ  Ａｓｓｕｒａｎｃｅ  Ｄｅｐａｒｔｍｅｎｔ）ソフトウエアを備えたインストロン４２０１型引張テスターという商標名のＳｉｎｔｅｃｈ引張テスターである。
２．ソフトウエアは、ＭＴＳ  Ｓｉｎｔｅｃｈから、Ｓｉｎｔｅｃｈ  Ｔｅｓｔｗｏｒｋｓ（登録商標）という商標名で商業的に得られた。
３．空気作動グリップは、マサチューセッツ州カントンのＩｎｓｔｒｏｎ  Ｃｏｒｐｏｒａｔｉｏｎから「Ｉｎｓｔｒｏｎ２７１２−００４型」の商標名で、商業的に入手可能である。
４．グリップ面は１ｘ４インチで、刻み目があり、マサチューセッツ州カントンのＩｎｓｔｒｏｎ  Ｃｏｒｐｏｒａｔｉｏｎから商業的に入手可能である。
５．テスト設備は、温度が２３±１℃で、相対湿度が５０±２パーセントである。
【００７９】
テスト手順
１．テストされるサンプルは、テスト前に、少なくとも４時間テスト設備内において調整される。
２．ロードセルを較正して、ソフトウエアを装填する。
３．グリップを、ジョーを閉じた状態で、引張テスターに取り付ける。
４．引張テスターのテスト条件を、次のように設定する。
クロスヘッド速度＝５００ミリメートル／分
全体の負荷値＝５キログラム
閾値＝５パーセント
破損基準＝９５パーセント
ゲージ長さ＝５０ミリメートル
５．クランプの重量が差し引かれる。
６．グリップ面の縁部が締結具材料の内側縁部と同一平面内にあるように、物品の後腰部領域上の耳部を、上方のジョー内に挿入する。
７．後腰部領域の内側表面と前腰部領域の外側表面が、１８０°の角度を形成するように、物品の前腰部領域を、下方のジョー内に挿入する。低いジョーは、閉じられる。
８．クロスヘッドが、作動を開始する。
９．破損のピークロードが記録される。破損状態とは、オムツの後腰部領域が、オムツの前腰部領域から分離することを意味する。
【００８０】
剪断強度テスト
この手順は、２つの材料を接合する機械的締結システムを分離するために必要とされる剪断強度を計測するための、引張ベンチテストである。分離に要する剪断強度は、２つの材料を、接触面に平行に引っ張る時の負荷値を求めることにより計測される。剪断強度テスト値は、機械締結用システムが、平面の剪断強度に対して、どのくらい良好に係合したままであるかを示すものである。サンプルが破れるまで、サンプルは引張テスター内で引っ張られる。剪断強度は、ピークロードの結果で示される。剪断強度は、接触面積で割ることにより基準化され、面積当たりの力で表わされる。
【００８１】
装置
１．引張テスターは、ピーク荷重を得ることができるもので、適当なロードセルを装備しているものである。適当な引張テストシステムは、ノースカロライナ州のリサーチトライアングルパークのＭＴＳ  Ｓｉｎｔｅｃｈから商業的に入手可能な、Ｓｉｎｔｅｃｈ  ＱＡＤ（Ｑｕａｌｉｔｙ  Ａｓｓｕｒａｎｃｅ  Ｄｅｐａｒｔｍｅｎｔ）ソフトウエアを備えたインストロン４２０１型引張テスターという商標名のＳｉｎｔｅｃｈ引張テスターである。
２．ソフトウエアは、ＭＴＳ  Ｓｉｎｔｅｃｈから、Ｓｉｎｔｅｃｈ  Ｔｅｓｔｗｏｒｋｓ（登録商標）という商標名で商業的に得られた。
３．空気作動グリップは、マサチューセッツ州カントンのＩｎｓｔｒｏｎ  Ｃｏｒｐｏｒａｔｉｏｎから「Ｉｎｓｔｒｏｎ２７１２−００４型」の商標名で、商業的に入手可能である。
４．グリップ面は１ｘ４インチで、刻み目があり、マサチューセッツ州カントンのＩｎｓｔｒｏｎ  Ｃｏｒｐｏｒａｔｉｏｎから商業的に入手可能である。
５．テスト設備は、温度が２３±１℃で、相対湿度が５０±２パーセントである。
【００８２】
テスト手順
１．テストされるサンプルは、テスト前に、少なくとも４時間テスト設備内において調整される。
２．ロードセルを較正して、ソフトウエアを装填する。
３．グリップを、ジョーを閉じた状態で、引張テスターに取り付ける。
４．引張テスターのテスト条件が、次のように設定される。
クロスヘッド速度＝５００ミリメートル／分
全体の負荷値＝５キログラム
閾値＝５パーセント
破損基準＝９５パーセント
ゲージ長さ＝５０ミリメートル
５．クランプの重量が差し引かれる。
６．グリップ面の縁部がフック材料の内側縁部と同一平面内にあるように、物品の後耳部を、上方のジョー内に挿入する。
７．後腰部領域の内側表面と前腰部領域の内側表面が、同じ方向を向き、互いが平行であるように、物品の前腰部領域を、低方のジョー内に挿入する。低いジョーは、閉じられる。
８．クロスヘッドが、作動を開始する。
９．破損のピークロードが記録される。破損状態は、物品の後腰部領域が、物品の前腰部領域から分離することを意味する。
【００８３】
オムツ２０では、剥離強度及び剪断強度は、（ａ）締結用組立体６０−６０ｂの横方向４０に沿って、異なる締結具材料を使用する、（ｂ）横方向４０に沿って、材料の付加、又はスプレー塗布、エンボス加工、溶融、変形又は同様のものにより、締結用組立体６０−６０ｂを修正する、（ｃ）材料の付加、又はスプレー塗布、エンボス加工、溶融、変形又は同様のもののいずれかにより、後耳部の内側耳部表面６３を修正する、又は（ｄ）上記したものの組み合わせにより変化することができる。締結用組立体６０−６０ｂ及び内側耳部表面６３に付加された任意の締結具材料は、ボタン、ピン、スナップ、接着剤テープ締結具、接着剤、マッシュルーム・ループ型締結具、及びフック・ループ型締結具、又は同様のものなどの、機械的係合として知られる種々異なる材料及び表面を含むことができる。「フック」は、フック状又はポスト状とすることができる。別の可能な締結具材料は、網目状発泡体、例えば、ペンシルベニア州リンウッドのＦｏａｍｅｘ  Ｉｎｔｅｒｎａｔｉｏｎａｌ  Ｉｎｃ．より製造されるＦＯＡＭＥＸ  Ｚ６ＳＣＬＹを含む。望ましくは、締結用組立体６０−６０ｂは、機械締結具材料から成り、オムツ２０の衣類側表面から外向きに突出する部品又は部材、例えばフック又はポストの列を含む。このような突出した締結具材料は、内側耳部表面６３と直接係合することができる。
【００８４】
どのような種々異なる剥離強度及び剪断強度を有する結合が実現できるかの幾つかの例示が示されている。しかしながら、本発明は、これらの幾つかの例示に制限することは意図していない。第一に、図１−４の湾曲形状の実施形態においては、中間部８０は、第一材料を含むことができる中間取り付け領域であり、外側領域７５は、第二材料を含むことができる側部取り付け領域である。組み合わせにおいては、側部取り付け領域の第二材料は、中間取り付け領域の第一材料と異なる剥離又は剪断特徴を有する。２つの側部取り付け領域の材料は、同じ材料で形成されたものではないか、又は共通の材料に取り付けられた時に、同じ剥離及び／又は剪断特性を有するかにおいて、互いが異なるものとすることができることを理解するべきである。後耳部６２の内側表面６３は、身体側ライナー４４と同じ材料とすることができる。
【００８５】
各々の取り付け領域において、１つより多い材料を有するというより、単一の第一材料及び単一の第二材料だけが存在することができる。第一及び第二材料は、一体に結合されるか（例えば、単一シートから切り取られる）又は互いが接合し、更に互いが取り付けられる、当接するか、又は極めて近接して位置決めされるかのいずれかとすることができる。望ましくは、第一及び第二材料は、中間部又は外側領域のいずれかにおいて修正されたフック材料とすることができ、後耳部６２が取り付けられる時に、異なる剥離及び／又は剪断値を形成する。例えば、接着剤材料が、中間部８０に付加されて、剥離力を増大させることができる。
【００８６】
組み合わせた物質においては、第二材料は、第一材料と異なる剥離又は剪断特性を有する。組み合わせた物質においては、側部取り付け領域における第二材料は、中間取り付け領域における第一材料とは異なる剥離又は剪断特性を有する。２つの側部取り付け領域の材料が同じ材料で形成されたものではない、又は共通の材料に取り付けられた時に、同じ剥離及び／又は剪断特性を有するかにおいて、互いが異なるものとすることができることを理解するべきである。もちろん、各々の取り付け領域において、１つより多い材料を有するのではなく、単一の第一材料及び単一の第二材料だけが存在することができる。後耳部６２の内側表面６３は、身体側ライナー４４と同じ材料から形成することができる。
【００８７】
図５及び６に見られるような第三の例においては、中間部１８５は、第一材料で形成することができ、締結具部品１８４は、第二材料で形成することができる。組み合わせた物質においては、側部取り付け領域における第二材料は、中間取り付け領域における第一材料とは異なる剥離又は剪断特性を有する。２つの側部取り付け領域の材料が同じ材料で形成されたものではない、又は共通の材料に取り付けられた時に、同じ剥離及び／又は剪断特性を有するかにおいて、互いが異なるものとすることができることを理解するべきである。もちろん、各々の取り付け領域において、１つより多い材料を有するのではなく、単一の第一材料及び単一の第二材料だけが存在することができる。更に、各々の別個の要素１８４は、異なる材料で形成することができる。再び、後耳部６２の内側表面６３は、身体側ライナー４４と同じ材料で形成することができる。
【００８８】
代替的実施形態においては（図示されず）、オムツ２０は、通常の前耳部６４が位置する所に位置する後耳部６２を、後耳部６２が位置する所に位置する前耳部６４を有することができ、機械締結用組立体６０−６０ｂは、オムツ２０の前腰部領域２２の代わりに後腰部領域２４に配置することができる。更に、別個のタブ部材は、後耳部６２から延びることができる（図示されず）。
【００８９】
操作においては、本発明のオムツ２０は、オムツ又はパンツのいずれかとして付与及び取り外しができるように、予め締結された状態とすることができる。オムツ２０が、オムツ形態で付与される場合は、着用者又は介護人は、オムツを身体に整列させて、オムツ２０を重ねて、次に後耳部６２の内側表面６３を締結用組立体６０に取り付けることにより締結する。内側表面６３に何の付加又は修正もない場合は、締結用組立体６０を備えた内側表面６３に、着用者／介護人が、どんな特定の領域も整列させる必要性はない。内側表面６３に付加又は修正がある場合は、付加又は修正の領域は、着用者／介護人が、締結用組立体６０の部分で、これらの領域を整列させるために更なる努力をする必要がないような大きさとすることが望ましい。側部シーム７６が、後耳部の近位領域９６を締結用組立体に取り付けることにより形成されると、末端領域９８は、オムツ２０の嵌合及び／外観を調整するために、再位置決めすることができる。
【００９０】
ここに示された様々な締結用組立体及び耳部は、ここには示されていない多くの形態を形成するために組み合わせることができるが、それらは締結用オムツ又はパンツにおいて使用するのに極めて適当であることを当業者は容易に認識するであろう。かなり詳細に本発明を述べたので、様々な変更及び修正が、本発明の意図から外れることなく成すことができることは明らかである。このような変更及び修正すべては、添付した特許請求の範囲及びあらゆる均等手段により定められて、本発明の範囲内であると考えられる。
【図面の簡単な説明】
【００９１】
【図１】締結されず、拡げられ、平坦な状態に置かれて、着用者の皮膚に接触する物品の表面が観察者に向けられ、物品の部分が部分的に切り取られて下側にある特性が示された状態の、図１の使い棄て吸収性物品の例の平面図である。
【図２】半分折り畳まれて、締結されていない状態の図１の使い棄て吸収性物品（幼児用オムツ）の斜視図である。
【図３】締結されず、延伸され平坦な状態に置かれて、着用者の衣服（外側表面）に接触する物品の表面が観察者に向けられた状態の、図１の使い棄て吸収性物品の概略平面図である。
【図４】図３の使い棄て吸収性物品を部分的に締結した状態の、概略的前側斜視図である。
【図５】締結されず、延伸され平坦な状態に置かれて、着用者の衣服（外側表面）に接触する物品の表面が観察者に向けられた状態の、使い棄て吸収性物品の第二実施形態の概略平面図である。
【図６】図５の使い棄て吸収性物品を部分的に締結した状態の、概略的前側斜視図である。
【図７】締結されず、延伸され平坦な状態に置かれて、着用者の衣服（外側表面）に接触する物品の表面が観察者に向けられた状態の、使い棄て吸収性物品の第三実施形態の概略平面図である。
【図８】図７の使い棄て吸収性物品を部分的に締結した状態の、概略的前側斜視図である。
【符号の説明】
【００９２】
２０  オムツ
２２  前腰部領域
２４  後腰部領域
２６  股部領域
２８  吸収性芯
３０  側縁部
３２  腰部縁
３４  内側表面
３６  外側表面
４２  外カバー
４４  身体側ライナー
６０  締結用組立体
６２  後耳部
６４  前耳部
７６  側部シーム
【図１】
2008544807.tif 000003
【図２】
2008544807.tif 000004
【図３】
2008544807.tif 000005
【図４】
2008544807.tif 000006
【図５】
2008544807.tif 000007
【図６】
2008544807.tif 000008
【図７】
2008544807.tif 000009
【図８】
2008544807.tif 000010
【国際調査報告】
2008544807.tif 000011
2008544807.tif 000012
2008544807.tif 000013